(57)【要約】【課題】作業性が良好で、研磨により発生した爪研磨粉末をフィルタに吸着させて爪研磨粉末を飛散させることなく捕集処理ができる爪研磨装置の提供。【解決手段】電動機の駆動軸を介して回転可能となる研磨体と、把持部とを有し、爪研磨機と、該爪研磨機の収納部と爪研磨粉末の回収部を備える容器とを備え、前記爪研磨機は、本体と前記把持部となる電池収納部とを着脱自在な構成とし、前記本体は、電動機を内蔵し且つ前記研磨体と接続端子を備え、前記電池収納部は、電池を内蔵し且つ接続端子及びスイッチを備え、接続端子を両端に有する接続するコードを前記接続端子と着脱可能として接続通電してなり、前記容器における爪研磨粉末の回収部は底面側にフィルタを備え、回収部の内部に吸引手段を備え、回収部の一端に排出口を設けた爪研磨装置。【選択図】図１
2014180493.tif 000002
【特許請求の範囲】
【請求項１】
電動機の駆動軸を介して回転可能となる研磨体と、把持部とを有する爪研磨装置において、
爪研磨機と、該爪研磨機の収納部と爪研磨粉末の回収部を備える容器とを備え、
前記爪研磨機は、本体（１）と前記把持部となる電池収納部（１４）とを着脱自在な構成とし、前記本体（１）は、電動機を内蔵し、且つ、前記研磨体と接続（雌）端子（１０）を備えたものとし、前記電池収納部（１４）は、電池を内蔵し、且つ、接続（雌）端子（１６）及びスイッチ（１８）を備えたものとし、接続（雄）端子（２３）を両端に有する接続するコード（２２）を前記接続端子（１０）、（１６）と着脱可能として接続通電してなり、
前記容器における爪研磨粉末の回収部は、その底面側にフィルタ（４２）を備え、回収部の内部に吸引手段を備え、回収部の一端に排出口（３６）を設けたことを特徴とする爪研磨装置。
【請求項２】
前記爪研磨機の本体（１）と電池収納部（１４）との着脱手段が磁気接続手段であることを特徴とする請求項１記載の爪研磨装置。
【請求項３】
収納部の底部にファン用電動機を内蔵し、駆動軸を介して、吸引手段であるファンを回収部の内部に配置したことを特徴とする請求項１又は２記載の爪研磨装置。
【請求項４】
排出口（３６）からフィルタ（４２）を入出可能としたことを特徴とする請求項１、２又は３記載の爪研磨装置。
【請求項５】
前記フィルタ（４２）はナイロントリコット吸着布を構成に含むことを特徴とする請求項１、２、３又は４記載の爪研磨装置。
【発明の詳細な説明】
【技術分野】
【０００１】
本発明は、電動の研磨部材を備えてなる爪研磨装置に関するものである。
【背景技術】
【０００２】
従来から、乾電池収納部の乾電池によって電動機を駆動させて、この電動機の駆動軸の先端に研磨体を回転方向に対して逆ネジによって固定して回転するようにし、スイッチ操作で電動機の研磨体支持軸を回転させて、研磨部分を爪先に当てて研磨させる爪研磨装置が公知である（例えば、特許文献１及び特許文献２参照。）。
【先行技術文献】
【特許文献】
【０００３】
【特許文献１】実公昭３６−３４５２号公報
【特許文献２】特許３８８５４６５号
【発明の概要】
【発明が解決しようとする課題】
【０００４】
上記特許文献１には、乾電池収納部の乾電池によって電動機を駆動させて、この電動機の駆動軸の先端に研磨体を回転方向に対して逆ネジによって固定して回転するようにし、スイッチ操作で電動機の研磨体支持軸を回転させて、把持筒と研磨部分が連結一体となった把持筒状の爪研磨装置が開示されている。
当該爪研磨装置は、爪研磨粉末が周囲に飛散するので、掃除が困難で、不衛生であった。
【０００５】
一方、上記特許文献２には、爪磨き器本体から突出した先端にヘッド部を設け、ヘッド部に先端方向と略直交した回転軸芯を有するヤスリ盤を回動自在に配置し、ヤスリ盤の表面に爪の表面を接触させるヤスリ面を上記先端方向と略直交した方向に面をなすように形成し、ヤスリ盤の裏面と連結してヤスリ盤に回転軸芯周りの回転揺動運動を与える駆動部を爪磨き器本体に設けた電動式爪磨き器が開示されている。当該特許文献２に係る発明の構成によれば、爪研磨粉末が円盤状回転研磨体の接線方向に飛散するが、研磨体の周縁はケーシングの若干内側にあるためケーシング内に引き込まれ、遠心力でカバー部１ｂの内壁に付着して滞積する。しかしながら、当該構成では開口部と研磨体が近接しているため、必ずしも全ての爪研磨粉末を回収できるものではなく、回収できない爪研磨粉末は周囲に飛散し易い点で問題があった。
【０００６】
また、上記特許文献１及び特許文献２は、いずれも乾電池収納部と爪研磨機本体を一体として構成し、乾電池収納部を把持しながら研磨するものである。
このため例えば足の爪等の爪間を移動させる際等に、乾電池収納部が作業の邪魔となり研磨しにくい点で問題があった。
【０００７】
本発明は、上記問題点に鑑みてなされたものであり、爪研磨の操作が容易で、且つ爪の研磨により発生した爪研磨粉末を飛散させることがなく衛生的に処理することができる爪研磨装置を提供することを、発明が解決しようとする課題とする。
【課題を解決するための手段】
【０００８】
上記課題を達成するため、本発明は、電動機の駆動軸を介して回転可能となる研磨体と、把持部とを有する爪研磨装置において、爪研磨機と、該爪研磨機の収納部と爪研磨粉末の回収部を備える容器とを備え、前記爪研磨機は、本体（１）と前記把持部となる電池収納部（１４）とを着脱自在な構成とし、前記本体（１）は、電動機を内蔵し、且つ、前記研磨体と接続（雌）端子（１０）を備えたものとし、前記電池収納部（１４）は、電池を内蔵し、且つ、接続（雌）端子（１６）及びスイッチ（１８）を備えたものとし、接続（雄）端子（２３）、（２３）を両端に有する接続するコード（２２）を前記接続端子（１０）、（１６）と着脱可能として接続通電してなり、前記容器における爪研磨粉末の回収部は、その底面側にフィルタ（４２）を備え、回収部の内部に吸引手段を備え、回収部の一端に排出口（３６）を設けたことを特徴とする爪研磨装置を、上記課題を解決するための手段とする。
【０００９】
また、本発明は、前記爪研磨機の本体（１）と電池収納部（１４）との着脱手段が磁気接続手段であることを特徴とする爪研磨装置を、上記課題を解決するための手段とする。
【００１０】
また、本発明は、上記いずれかの発明の構成に加えて、収納部の底部にファン用電動機を内蔵し、駆動軸を介して、吸引手段であるファンを回収部の内部に配置したことを特徴とする爪研磨装置を、上記課題を解決するための手段とする。
【００１１】
また、本発明は、上記いずれかの発明の構成に加えて、排出口（３６）からフィルタ（４２）を入出可能としたことを特徴とする爪研磨装置を、上記課題を解決するための手段とする。
【００１２】
また、本発明は、上記いずれかの発明の構成に加えて、前記フィルタ（４２）がナイロントリコット吸着布を有することを特徴とする爪研磨装置を、上記課題を解決するための手段とする。
【発明の効果】
【００１３】
本発明の請求項１の爪研磨装置によれば、電動機の駆動軸を介して回転可能となる研磨体と、把持部とを有する爪研磨装置において、爪研磨機と、該爪研磨機の収納部、爪研磨粉末の回収部及び電源装置を備える容器とを備え、前記爪研磨機は、本体と前記把持部となる電池収納部とを着脱自在な構成とし、前記本体は、電動機を内蔵し、且つ、前記研磨体と接続（雌）端子を備えたものとし、前記電池収納部は、電池を内蔵し、且つ、接続（雌）端子及びスイッチを備えたものとし、接続（雄）端子を両端に有する接続するコードを前記接続端子と着脱可能として接続通電してなり、前記容器における爪研磨粉末の回収部は、その底面側にフィルタを備え、回収部の内部に吸引手段を備え、回収部の一端に排出口を設けたことから、容器を天地反転して電源を投入して吸引がされた状態として、フィルタ近傍で前記爪研磨作業を行うことで、爪研磨粉末は下方に吸引され、周囲への飛散を防止できる。
そして、前記爪研磨機の本体（１）と電池収納部（１４）との着脱手段を備えているため、本体（１）を電池収納部（１４）から離脱させて本体（１）のみで爪研磨作業を行うことができるため、例えば足の爪等の爪間を移動させる際等の煩わしさが解消でき、フィルタ近傍での前記爪研磨作業を非常に行い易いものとすることができる。
【００１４】
本発明の請求項２に係る爪研磨装置によれば、上記発明の構成を有する上に、前記爪研磨機の本体（１）と電池収納部（１４）との着脱手段が磁気接続手段であるものとしたから、上記発明の作用効果を奏する上に、前記爪研磨機の本体（１）と電池収納部（１４）との着脱が何らの操作を行うことなくできるため、作業性を高めることが出来る。
【００１５】
本発明の請求項３に係る爪研磨装置によれば、上記いずれかの発明構成に加えて、収納部の底部にファン用電動機を内蔵し、駆動軸を介して、吸引手段であるファンを回収部の内部に配置したことから、容器の収納性能を確保した上で、容器の天地を反転した状態として、上記請求項１又は２記載の発明の作用効果を得ることが出来る。
【００１６】
本発明の請求項４に係る爪研磨装置によれば、上記いずれかの発明の構成を備えた上で、排出口（３６）からフィルタ（４２）を入出可能としたことから、上記いずれかの発明の作用効果を奏する上に、フィルタの洗浄や交換のための出し入れ操作が簡単に行える効果を得ることが出来る。
【００１７】
本発明の請求項５に係る爪研磨装置によれば、上記いずれかの発明の構成を備えた上で、前記フィルタ（４２）はナイロントリコット吸着布を構成に含むものとしたことから、特に爪研磨粉末に適したフィルタとすることができ、爪研磨粉末を効率よく捕捉することができる。
【図面の簡単な説明】
【００１８】
【図１】図１（ａ）は実施例に係る爪研磨装置を構成する爪研磨機において、本体平面図に連結スリーブを介して研磨部材を取り付けた平面図、図１（ｂ）は乾電収納部の平面図、図１（ｃ）は接続コードに接続雄端子を取り付けた平面図である。
【図２】図２は実施例に係る爪研磨装置の容器において、集塵部と収納部を一体とした収納部の蓋体を開けた状態の斜視図である。
【図３】図３は（ａ）、（ｂ）及び（ｃ）は各種の研磨部材と研磨面を表した説明正面図である。
【図４】図４は通気板の拡大斜視図である。
【図５】図５は図４のＡ―Ａ線の一部省略の拡大断面図である。
【図６】図６は集塵部と収納部を一体とした集塵部の裏面側から見た一部省略の平面図である。
【図７】図７は図６の集塵部と収納部を一体の集塵部の外気の排気口側から見た正面図である。
【発明を実施するための形態】
【００１９】
本発明は、略立方体の研磨部材を有する本体と直方体の電池収納部とをコードで通電接続して本体と電池収納部を分離して使用することができ、本体の研磨部材を狭い指股間を手動で移動させることが出来、かつ研磨により発生した爪研磨粉末をフィルタに吸着させて飛散させることなく衛生的に処理することができる優れた爪研磨装置を実現した。
【００２０】
また、本発明は、一方の略立方体の本体の嵌合突出部の中央に設けた磁気接続部と他方の略直方体の電池収納部の嵌合凹部の中央に設けた磁気接続部を嵌合させて、接続端子を有する接続するコードで接続通電して本体と電池収納部を磁気と嵌合で連結して使用するので、両者の結合はぶれることがなく、電池収納部に対して本体の研磨部材の軸線方向を嵌合凹部の前後左右の四方向の何れかに方向に付け替えて研磨部材の軸線方向を変更して使用することが出来、研磨部材の軸線方向が嵌合突出部の嵌め変えにより変更できるので、研磨部材を狭い指股間を自由に移動させることができ、かつ研磨により発生した爪研磨粉末をフィルタに吸着させて飛散させることなく衛生的に処理することができる優れた爪研磨装置を実現した。
【００２１】
さらにまたフィルタ（４２）の吸着布がナイロントリコットであることにより研磨により発生した爪研磨粉末をより強力なフィルタを提供でき吸着性能を向上させルことが出来る優れた爪研磨装置を実現した。
【実施例】
【００２２】
図１（ａ）は、本発明の実施例の爪研磨装置を構成する爪研磨機Ｓの本体平面図に連結スリーブを介して研磨部材を取り付けた平面図、図１（ｂ）は電池収納部の平面図、図１（ｃ）は接続コードに接続雄端子を取り付けた平面図である。
本体１は略立方体形状を有し、その一端２側に電動機３の伝動軸４を突出させ、該伝動軸４に連結スリーブ５を取り付け、前記連結スリーブ５の中央に雌螺孔６を形成し、該雌螺孔６の先端に雄螺子７を有する研磨部材８を取り付け、前記伝動軸４と対向する他辺９には接続雌端子１０を設け、本体１の略立方体の他方の一端部１１には嵌合突出部１２を形成し、該嵌合突出部１２の中央に磁気接続部１３を設けた構成である。
【００２３】
前記本体１と磁気接続可能な略直方体形状を有する電池収納部１４は、一方の一辺１５には接続雌端子１６を設け、接続雌端子１６と対向する他辺１７には電動機回転用のＯＮ，ＯＦＦ用スイッチ１８を設け、前記略直方体の電池収納部１９の他方の一辺部１９には前記嵌合突出部１２と嵌合する嵌合凹部２０を形成し、該嵌合凹部２０の中央に磁気接続部２１を形成した構成である。
【００２４】
本体１と電池収納部１４と接続するコード２２は、コード２２の両端に接続雄端子２３、２３を接続した構成からなる。
【００２５】
図２は容器Ｂにおける収納部の蓋体を開けた状態の斜視図、図３は各種研磨部材と研磨面を表した正面図である。収納部２４の内部には本体１と電池収納部１４、接続雄端子２３接続雄端子２３及びコード２２、研磨部材８を収納する。収納部２４の内には、合成樹脂製の底板２５を設け、該底板２５の中央に凹部２６を形成し、該凹部２６に本体１と電池収納部１４を収納し、底板２５の一側には前記交換用の研磨部材８を立装する複数穴２７を形成し、底板２５の他側には前記接続雄端子２３，２３を有するコード２２を載置収納する。
【００２６】
図６は収納部の下部にファン付のケース体を取り付けた状態の集塵部２９の裏面側から見た一部省略の平面図、図７は図６の集塵部２９上に収納部を載置して一体となった集塵部付き収納部の通気の排気口３６側から見た正面図である。
前記収納部２４の裏面側に取り付けた爪研磨粉末を吸着させる通気板４３を装備した集塵部２９は裏面側に電動機４１で回転する集塵するためのファン２８を設置し、該集塵部２９の裏上面板３０に貫通穴３１を設け、集塵部２９の台板３２の外壁３３の内側に溝通気用通路３４を介して側隔壁３５，３５を形成し、該溝通気通用路部３４、３４の先端に中央及び両側に排気口３６、３６を設け、後方隔壁３５Ａと前記側隔壁３５の間隙３７を形成し、裏上面板３０と側隔壁３５との間に通気板４３を嵌装した構成である。
【００２７】
図４は通気板の拡大斜視図、図５は図４のＡ―Ａ線の一部省略の拡大断面図である。
通気板４３は中央に通穴３８を有する上挟持板３９と下挟持板３９Ａの間に金網４０と爪研磨粉末を吸着するフィルタ４２を重合し、集塵部２９の前方の中央及び両側に排気口３６を設け、裏上面板３０と側隔壁３５の上面間に通気板４３を挿入して、集塵部２９の後方の電池収納部４５の乾電池４６と接続してスイッチ４７で電動機４１のファン２８を回転させて、金網、フィルタ４２を通して通気と一緒に爪研磨粉末を吸い込みフィルタ４２に爪研磨粉末を吸着させる構成である。
【００２８】
本体１は、使用者の手で把持できる程度の略立方体に形成され、この本体１内に電動機を内蔵している。また本体１は、水密構造を有しており、防水性能を備えるものである。このため、電池収納部１４から取外すことによって、単体で水洗することができる。
前記電動機は乾電池で電動させているが、本体に内蔵された二次電池（図示省略）を電源として駆動することも可能である。二次電池は、本体に内蔵されたプラグ（図示省略）に接続されて、このプラグを家庭用コンセントに繋ぐことにより充電することができる。電動機は本体から突出する回転軸を備える。
【００２９】
集塵部２９内のファン２８により金網、フィルタを配置した裏上面板の通穴より通気を取り入れて集塵部２９内を負圧にして排気口及び溝通気用通路より通気を外に逃がして集塵部２９内を負圧にして通気を外へ排出させ、送風がスムーズに行われ、研磨時に周囲に飛散する爪研磨粉末をフィルタに吸着させて処理することができる。また、フィルタは取り外し洗浄することも出来る。
【００３０】
研磨部材には上面に研磨部を有し、研磨部は平面視において円形であり、側面視において適宜な曲率半径の凸曲面形状又端平面形状である。研磨部は、ダイヤ等を蒸着させることによりヤスリ状となっている。研磨部材の後方には、連結スリーブを介して回転軸に連結される。連結スリーブが回転軸に連結されることにより研磨部材が電動機の回転に伴って回転軸を軸として回転する。
【００３１】
次に、上記爪研磨装置の二通りの使用方法について説明する。
第一の装置の使用方法は、本体１と電池収納部１４をコード２２で通電接続して本体１と乾電地収納部１４を連結しないで分離して電池収納部１４を置いておいて、電動機３と研磨部材８を装備した本体１のみを把持して研磨したい爪の近くに研磨部を持って行き使用するものである。
さらに、第二の装置の使用方法は、本体１と電池収納部１４をコード２２で接続通電して本体１と乾電地収納部１４を嵌合結合して使用する場合は、本体１は略立方体で一辺部１１には嵌合突出部１２の中央に磁気接続部１３を有し、他方の直方体の電池収納部１４の一辺部１９には前記嵌合突出部１２と嵌合する嵌合凹部２０を形成し、該嵌合凹部２０の中央に磁気接続部２１を形成したので、本体１の嵌合突出部１２の磁気接続部１３と嵌合凹部２０と磁気と嵌合結合により、直方体の電池収納部１４の嵌合凹部２０の前後左右の四方向に嵌合突出部１２を付け替えることができ、その結果電池収納部１４に対して本体１の研磨部材８の軸方向を前後左右の四方向に変更して嵌合結合させるものである。
【００３２】
収納部２４の裏面側に取り付けた爪研磨粉末を吸着させる集塵部２９は裏面側に電動機４１で回転するファン２８を設置し、該集塵部２９の裏上面板３０に貫通穴３１を設け、集塵部２９の台板３２の外壁３３の内側に溝通気用通路３４を介して側隔壁３５，３５を形成し、裏上面板３０と側隔壁３５との間に通気板４３を嵌装し、研磨部材８の回転により爪を研磨され、爪は削り取られ、爪研磨粉末が発生する。
この爪研磨粉末はフィルタ４２に補集され、このフィルタ４２に溜まった爪研磨粉末は、フィルタ４２を交換するか、フィルタ４１を取り出して爪研磨粉末を取り除くことにより、爪研磨粉末を周りに飛散させることなく簡単に捨てることができる。
【００３３】
集塵部２９の排出口の３６の下方であってファン２８より上方に位置する通気板４３には、爪研磨粉末を前記本体内に吸入するための通穴３８が設けられている。
また、集塵部２９の上面版３０に貫通穴３１を設け、その下に金網との間にフィルタを挟みこれを上下挟持板３９、３９Ａで挟んだ通気板４３挿入固定して前記通気板４３の下部であってファン２８より下方の位置には空気の排気口が設けられ、この聞通気板にフィルタ４２が設置されている。このフィルタ４２は、空気を通すものの、爪研磨粉末を通さない程度の目の細かさである。
【００３４】
本体１には電動機３を内蔵しており、正逆スイッチ（図示省略）をオンにすることで電動機が回転する。電動機の回転軸には連結スリーブ５を介して研磨部材が装着されている。
【００３５】
集塵部２９に装備したファン２８は伝動軸に直交である場合には、いずれの方向に回転させた場合であっても、空気を遠心方向に引き込まれるに作用する。
また、ファン２８の上側にはフィルタ４２を装備した通気板４３の上方から爪研磨粉末を捕集する。
ファンの上方には通穴３８が穿設されており、ファンにより引き込まれた外気はこの通穴３８から吸入されてフィルタ４２を経由して集塵部２９の排出口３６から排気される。
研磨部材８は種々のものが用意されており研磨面の上面及び側面がダイヤモンド蒸着による研磨部となっている。
【００３６】
また、研磨部材の側面の傾斜面を利用して爪の形を整えることができる。
爪の右サイドを削る場合と左サイドを削る場合に回転方向を変えるなどの調整を行うことができ、爪に対し逆目に削るという事態を避けることができる。
【００３７】
尚、ファン２８は逆回転させた場合においても、捕集ケースの内部は常に負圧となり爪研磨粉末の吸引を行うことができる。爪研磨粉末がたまった場合にはフィルタ４２を外してフィルタ４２を交換すればよく、フィルタ４２は水洗いすることができる。
【００３８】
また本発明の爪研磨装置は、回転研磨駆動機構を備えた本体と、電池収納部とコードで通電して、分離して使用し、前記両者を磁気と嵌合により一体に連結させて電池収納部に対して研磨部材の軸線方向を変更して使用することが出来るものである。
【符号の説明】
【００３９】
Ｂ      容器
Ｓ      爪研磨機
１      本体
２      一辺
３      電動機
４      伝動軸
５      連結スリーブ
６      雌螺孔
７      雄螺子
８      研磨部材
９      他辺
１０      接続雌端子
１１      一辺部
１２      嵌合突出部
１３      磁気接続部
１４      電池収納部
１４Ａ    乾電池
１５      一辺
１６      接続雌端子
１７      他辺
１８      スイッチ
１９      一辺部
２０      嵌合凹部
２１      磁気接続部
２２      コード
２３      接続雄端子
２４      収納部
２４Ａ    容器蓋体
２５      底板
２６      凹部
２７      穴
２８      ファン
２９      集塵部
３０      裏上面板
３１      貫通穴
３２      台板
３３      外壁
３４      溝通気用通路
３５      側隔壁
３５Ａ    後方隔壁
３６      排出口
３７      間隙
３８      通穴
３９      上挟持板
３９Ａ    下挟持板
４０      金網
４１      電動機
４２      フィルタ
４３      通気板
４４      外気取入口
４５      電池収納部
４６      乾電池
４７      スイッチ
４８      台座
【図１】
2014180493.tif 000003
【図２】
2014180493.tif 000004
【図３】
2014180493.tif 000005
【図４】
2014180493.tif 000006
【図５】
2014180493.tif 000007
【図６】
2014180493.tif 000008
【図７】
2014180493.tif 000009